(57)【要約】      （修正有）【課題】外見からはおよそ遺骨などが収納されているとは全く見えない室内置物を提供する。【解決手段】天然石材又は人工石材により柱状，球状，錐状，石塊状のいずれかの形態であって床上に載置できるように置物本体１を形成し、本体１をその載置面に沿った方向において二分割すると共に、分割面と略直交する向きに分割面で二分された中空部２を形成し、分割された本体の中空部２に記念の品などを収容した置物本体１を床などに載置するようにした。【選択図】図２
0003139391.tif 000002
【実用新案登録請求の範囲】
【請求項１】
天然石材又は人工石材により柱状，球状，錐状，石塊状のいずれかの形態であって床上に載置できるように置物本体を形成し、該本体をその載置面に沿った方向において二分割すると共に、当該分割面と略直交する向きに当該分割面で二分された中空部を形成し、分割された前記本体の中空部に記念の品などを収容した置物本体を床などに載置するようにしたことを特徴とする室内置物。
【請求項２】
置物本体を、平板状の定盤と、該定盤の上に載置でき、かつ、定盤側に向いて中空部を備えた柱状体，球状体，錐状体，石塊状体のいずれかで形成した請求項１の室内置物。
【請求項３】
置物本体を、床上に載置でき、かつ、上部に中空部を備えた柱状体，球状態，錐状体，石塊状体のいずれかと、前記中空部の入口を塞ぐように載置する任意形態の立体物とにより形成した請求項１の室内置物。
【考案の詳細な説明】
【技術分野】
【０００１】
本考案は室内装飾品として好適であるとともに、貴重な品や記念の品などを、外部からは全く判らない状態で収容しておくことができるようにした置物、より具体的には天然石材又は人工石材（人造石材ともいうことがある）により形成した収納機能を備えた室内置物に関する。
【背景技術】
【０００２】
従来より室内用の置物、或は、インテリア用品としては様々なものが昔から用いられている。一般に、室内用置物の材質としては、木，竹，金属，ガラス、皮革，プラスチックなど様々であるが、石材は屋外の彫刻や墓石などに用いられることで知られているように、主として屋外用の置物などに用いられることが多い。
【０００３】
しかし、石材製の置物であってもさほど大形のものでなければ室内用置物として造形されたものが市場に提供されており、また、需要もある。
【０００４】
一方、人が亡くなると火葬に付して遺骨を骨壷に収容し、その骨壷を菩提寺の納骨堂や墓の納骨室に収めて葬るのが世間一般に最も多い遺骨の取扱態様である。
【０００５】
しかし乍ら、配偶者などの近親者が亡くなった場合、日常生活を行っている自宅で遺骨を保管したいとする要望も多い。故人といえどもこれまで生活等を共にしてきた近親者の遺骨をそばに置いておけば、故人に対する供養の思いも伝わり、自分の心も安らぐからと想われる。
【０００６】
ところが、遺骨を身近に置いておく場合、従来は骨壷を仏壇などに安置しておく態様が一般的であったため、このような態様では見映えが良好でない、或は、来訪者に奇異な感じを抱かせるなど、改善すべき点がある。
【０００７】
このような点に鑑み、従来、骨壷自体に装飾を施すことにより一見して骨壷に見えないように造形された骨壷が提供されるようになったが、所詮は骨壷であるため、造形の自由度に限度があり室内置物として見ると今一つの感がある。
【考案の開示】
【考案が解決しようとする課題】
【０００８】
本考案は上記のような遺骨の自宅など身近な場所での保管の現状に鑑み、外見からはおよそ遺骨などが収納されているとは全く見えない室内置物を提供することを、その課題とする。
【課題を解決するための手段】
【０００９】
上記課題を解決することを目的としてなされた本考案置物の構成は、天然石材又は人工石材により柱状，球状，錐状，石塊状のいずれかの形態であって床上に載置できるように置物本体を形成し、該本体をその載置面に沿った方向において二分割すると共に、当該分割面と略直交する向きに当該分割面で二分された中空部を形成し、分割された前記本体の中空部に記念の品などを収容した置物本体を床などに載置するようにしたことを特徴とするものである。
【００１０】
本考案における置物本体の形態としては、二分割して中空部を形成した柱状体，球状体，石塊体のほか、分割せずに平板状の定盤の上に、載置面側に中空部を形成した柱状体などを載置するようにしたタイプのものもある。この場合における収納部は、柱状体などを二分割した部位に穿設配置する態様と、柱状体などを二分割せずに定盤と当接する柱状体などの載置面から柱状体などの内部に向けて収納部になる孔を穿設した態様とがある。上記以外の置物本体の形態としては、床上に載置でき、かつ、上部に中空部を備えた柱状体，球状態，錐状体，石塊状体のいずれかと、前記中空部の入口を塞ぐように載置する任意形態の立体物とにより形成したものもある。
【考案の効果】
【００１１】
本考案では、天然石材又は人工石材により柱状，球状，石塊状のいずれかの形態であって床上に載置できるように置物本体を形成し、該本体をその載置面に沿った方向において二分割すると共に、当該分割面と略直交する向きに当該分割面で二分された中空部を形成し、分割された前記本体の中空部に記念の品などを収容した置物本体を床などに載置するようにして天然石材製又は人口石材製の室内置物の一例を形成したので、近親者の遺骨などのほか貴重品や記念品などを人目に触れることなく収納，保管することができる。
また、この置物の外見は上記のような収容部があるようには全く見えない態様であるから、室内のどこに設置乃至配置しても何らの違和感をも覚えさせないという利点がある。
【考案を実施するための最良の形態】
【００１２】
次に本考案置物の実施の形態例について、図を参照して説明する。図１は本考案置物の第一例の斜視図、図２は図１の置物収容部を見せた斜視図、図３は本考案置物の第二例の斜視図、図４は図３の置物の縦断正面図、図５は本考案置物の第三例の正面図、図６は図５の縦断正面図、図７は本考案置物の第四例の縦断正面図、図８は図７の置物の平面図である。
【００１３】
まず、図１〜図４において、１は短柱状に形成した本考案置物の第一例と第二例における置物本体で、図１，図２の例では天然石を短かい角柱状に、図３，図４の例では同じく天然石を短かい円柱状に形成したものである。これらの置物本体１は、底面をフラットに形成するなど、平坦な床面などに静置できる載置面1aが形成されていれば、他の面は必ずしも平坦でなくてもよい。
【００１４】
ほぼ短かい柱状をなす置物本体１は、中間部分でほぼ水平に分割されて、上部本体1bと下部本体1cに分離可能であると共に、上，下両本体1b，1cを重ねると一体のもの（１個のもの）に見えるように形成されている。
【００１５】
ここで、上部本体1bの外面には、スリット状の切込み溝1dがアクセントとして設けられている。一方、下部本体1cには、その上面から中央部位に孔２が穿設されている。この孔２は、後述するが遺骨などの記念の品が収容される収納部となる。
【００１６】
なお、上部本体1bの下面は、図４に例示するように、孔２に嵌まる下向き凸部1eが形成され、合体した上，下本体1b，1cが互にズレることがないようにしている。以上の説明は、図１〜図４の例において共通している。
【００１７】
図５，図６は、天然石材をそのままの形態で利用した本発明置物の第三例を示す図である。
この例では、天然石材による置物本体11を、その上部１／３程度の高さの位置でほぼ水平にカットして二分し、上部本体11bと下部本体11cを形成する。なお、この本体11の下面は、平坦にカット，研磨してフラットな載置面11aに形成されている。
【００１８】
図５，図６において、20は下部本体11cにその上面から下向きに穿設した収納部となる孔、11dは下部本体11cの外面に形成したスリット状のアクセントとなる切込み溝、11eは上部本体11bの下面に形成したズレ止め用の下向き凸部である。図５，図６の置物も、先に図１〜図４に基づいて説明した本考案置物と同じ使い方をする。
【００１９】
図７，図８は、平板状の天然石又は人工石、或は、木板などにより形成した平面から見て略長方形の定盤３と、天然石又は人造石を切削，研摩して形成した異形立体による置物体12により置物本体が形成された本考案置物の第四例を示している。
【００２０】
図７，図８の置物体12は、その下面がフラットな載置面12aに形成されていると共に、この面12aから上向きの孔21が穿設されている。12bはこの置物体12の前方（図７の左方寄り）に形成した透孔で、この置物のアクセントとして形成されたものである。
【００２１】
図９は、適宜平面形状の定盤31と、下面（載置面22a）の側に上向きの孔22を収納部として形成した天然石の石塊状をなす置物体13により形成された置物本体による本考案置物の第五例を示す縦断正面図である。
【００２２】
図７〜図９の本考案置物は、定盤３，31の上に載置される置物体12，13の孔21，22が位置する定盤３，31の上の部位に、遺骨などを納めた別容器Ｂを置いて、当該別容器Ｂを孔21，22で覆うように当該置物本体12を定盤３の上に載置することにより、遺骨などを納めた別容器Ｂを、外部からは全く見えない状態において収納しておくことができる。なお、図１〜図６により説明した本考案置物においても、上記の別容器Ｂに遺骨などを収容して収納部の孔２や20に収めることができる。
【００２３】
図10は角錐台状の置物体14の上部に収納部となる下向きの孔23を穿設し、該孔23の開口部に球体状の栓体15を載置してなる置物本体による本考案置物の第六例を示す斜視図である。なお、14a，15aは、それぞれ置物体14と栓体15の表面に施したアクセントである。遺骨などの記念の品は、別容器Ｂに入れて上記孔23内に収めておく点は、上記の各例と同様である。
【００２４】
上述した本考案置物は、天然石材以外に人工石材で作製することができるほか、天然木や人工木質材などによって作製することができる。
【産業上の利用可能性】
【００２５】
本考案は以上の通りであって、天然石材又は人工石材により柱状，球状，錐状，石塊状のいずれかの形態であって床上に載置できるように置物本体を形成し、該本体をその載置面に沿った方向において二分割すると共に、当該分割面と略直交する向きに当該分割面で二分された中空部を形成し、分割された前記本体の中空部に記念の品などを収容した置物本体を床などに載置する置物に形成したから、外見からはおよそ遺骨などが収納されているものには全く見えない。
従って、本考案置物は、通常の室内用置物として、部屋の任意の場所に飾ることができると共に、そこで記念の品や貴重品などを、外部から全くみえない状態で保管することができる。
【図面の簡単な説明】
【００２６】
【図１】本考案置物の第一例の斜視図。
【図２】図１の置物収容部を見せた斜視図。
【図３】本考案置物の第二例の斜視図。
【図４】図３の置物の縦断正面図。
【図５】本考案置物の第三例の正面図。
【図６】図５の縦断正面図。
【図７】本考案置物の第四例の縦断正面図。
【図８】図７の置物の平面図。
【図９】本考案置物の第五例の縦断正面図。
【図１０】本考案置物の第六例の斜視図。
【符号の説明】
【００２７】
１，11        置物本体
12，13，14    置物体
２，20，21    孔
３            定盤
【図１】
0003139391.tif 000003
【図２】
0003139391.tif 000004
【図３】
0003139391.tif 000005
【図４】
0003139391.tif 000006
【図５】
0003139391.tif 000007
【図６】
0003139391.tif 000008
【図７】
0003139391.tif 000009
【図８】
0003139391.tif 000010
【図９】
0003139391.tif 000011
【図１０】
0003139391.tif 000012